(57)【要約】【課題】速く効率的かつ使いやすい方法で、モバイルデバイスにおける項目とタグを結びつける。【解決手段】デバイスのディスプレイ上に画像（２０１）を表示するステップと、ディスプレイの上で（７００）にタグ付けメニュー（２１０）を自動的に提供するステップであって、そのタグ付けメニューが、画像（２０１）を備えている、ステップと、タグ付けメニュー（２１０）からタグを選択するステップ（７１０、７５０）であって、その選択されたタグが、画像と関連して（７３０）、タグ付けメニューを自動的に閉じる（７４０）、ステップと、を含む方法（７００−７４０）。【選択図】図７
2010537268.tif 000002
【特許請求の範囲】
【請求項１】
デバイスのディスプレイ上に画像を表示するステップと、
該ディスプレイ上にタグ付けメニューを自動的に提供するステップであって、該タグ付けメニューに前記画像が与えられている、ステップと、
該タグ付けメニューからタグを選択するステップであって、該選択されたタグが前記画像と結びついている、ステップと、
該タグ付けメニューを自動的に閉じるステップと、を含む方法。
【請求項２】
前記タグ付けメニューを自動的に提供するステップは、
前記ディスプレイ上で前記画像の存在を検出すること、
前記ディスプレイ上でポップアップウィンドウを提供することであって、該ポップアップウィンドウは、少なくとも１つのタグ項目を含む、ことと、
ユーザーが前記タグ項目のうちの１つの選択を示すことを可能とするナビゲーション制御と、を更に含む、請求項１に記載の方法。
【請求項３】
前記タグ付けメニューは、１つ以上の所定のタグキーを含み、
前記タグの選択は、該タグキーから所定のタグを選択することを含む、請求項１に記載の方法。
【請求項４】
前記タグの選択は、前記タグ付けメニューのナビゲーション制御から入力フィールド機能を選択することと、
該選択されたタグとして、カスタマイズされたタグエントリを入力することと、を含む、請求項１に記載の方法。
【請求項５】
タグが選択されたことを示すフィードバックを提供することを更に含む、請求項１に記載の方法。
【請求項６】
前記タグ付けメニューは、前記アプリケーション項目の上に透過的に表示される、請求項１に記載の方法。
【請求項７】
前記タグ付けメニューを閉じることは、
前記タグ付けメニューがディスプレイの上で提供された後に、タグ付けメニューで活動のない期間を検出することと、
タグ付けメニューを閉じることと、を含む、請求項１に記載の方法。
【請求項８】
前記タグ付けメニューを閉じることは、前記タグ付けメニューを閉じるか、最小化するために前記デバイス上でキーを活性化することを含む、請求項１に記載の方法。
【請求項９】
所定の状態に応じて前記ディスプレイ上に前記タグ付けメニューを再表示することを更に含む、請求項１に記載の方法。
【請求項１０】
プロセッサーと、
該プロセッサーに接続した入力装置と、
該プロセッサーに接続したディスプレイと、を備える装置であって、
前記プロセッサーは、前記装置におけるアクティブな画像アプリケーションの画像の表示に関連して、自動的に、前記ディスプレイの上でタグ付けメニューを提供し、
前記タグ付けメニューは、前記画像アプリケーションを離れることなく、前記画像とタグの間のタグ付けを可能とし、
タグ選択に応じて前記画像を前記タグにタグ付けし、
自動的に、前記タグ付けメニューを閉じるように、構成される、装置。
【請求項１１】
前記プロセッサーは、前記ディスプレイ上の前記画像の存在を検知し、
ディスプレイ上に、少なくとも１つのタグ項目を含んでいるポップアップウィンドウと、ユーザーが前記タグ項目のうちの１つの選択を示すことを可能とするナビゲーション制御と、を提供する、ようにさらに構成されている、請求項１０に記載の装置。
【請求項１２】
前記タグ付けメニューは、１つ以上の所定のタグキーを含み、
前記タグ選択は、前記タグ付けメニューの前記タグキーからの所定のタグの選択、あるいは、前記タグ付けメニューのナビゲーション制御からの入力フィールド機能の選択、及び、該選択されたタグとして、カスタマイズされたタグエントリを入力すること、を含む、請求項１０に記載の装置。
【請求項１３】
前記プロセッサーは、タグが選ばれたことを示すフィードバックを提供するようにさらに構成されている、請求項１０に記載の装置。
【請求項１４】
前記タグ付けメニューは、前記アプリケーション項目の上に透過的に表示される、請求項１０に記載の装置。
【請求項１５】
前記プロセッサーは、前記メニューが前記ディスプレイの上に提供された後、前記タグ付けメニューにおける無活動期間の検出に応答して、前記タグ付けメニューを閉じるようにさらに構成されている、請求項１０に記載の装置。
【請求項１６】
前記プロセッサーは、前記装置上のキーの活性化に応答して、前記タグ付けメニューを閉じるか、最小化するようにさらに構成されている、請求項１０に記載の装置。
【請求項１７】
前記タグ付けメニューは、タグ付けメニューのフェーディングによって閉じる、請求項１０に記載の装置。
【請求項１８】
前記プロセッサーは、所定の状態に応じて、前記ディスプレイ上の前記タグ付けメニューの再表示を可能とするようにさらに構成されている、請求項１０に記載の装置。
【請求項１９】
前記装置は、移動通信デバイスである、請求項１０に記載の装置。
【請求項２０】
コンピュータにタグ付けメニューを表示させるように具体化されたコンピュータ可読コード手段を有しているコンピュータ使用可能媒体を備えるデバイスのメモリに具体化されたコンピュータ・プログラム・プロダクトであって、
該コンピュータ・プログラム・プロダクトの該コンピュータ可読コード手段が、コンピュータに、前記デバイスのディスプレイ上に画像を表示させるコンピュータ可読プログラムコード手段と、
コンピュータに、前記ディスプレイ上に自動的に、該画像に提供されるタグ付けメニューを提供させるコンピュータ可読プログラムコード手段と、
コンピュータに、前記タグ付けメニューから、該画像と結びついたタグを選択させるコンピュータ可読プログラムコード手段と、
コンピュータに、自動的に前記タグ付けメニューを閉じさせるコンピュータ可読プログラムコード手段と、を備える、コンピュータ・プログラム・プロダクト。
【請求項２１】
コンピュータに、前記ディスプレイ上の前記画像の存在を検知させるコンピュータ可読プログラムコード手段と、
コンピュータに、前記ディスプレイの上に、少なくとも１つのタグ項目と、ユーザーがタグ項目のうちの１つの選択を示すことを可能とするナビゲーション制御と、を含むポップアップウィンドウを提供させるコンピュータ可読プログラムコード手段、を更に含む、請求項２０に記載のコンピュータ・プログラム・プロダクト。
【請求項２２】
前記タグ選択は、前記タグ付けメニューの前記タグキーからの所定のタグの選択、又は、前記タグ付けメニューのナビゲーション制御からの入力フィールド機能の選択、
及び、該選択されたタグとして、カスタマイズされたタグエントリを入力することと、を含む、請求項２０に記載のコンピュータ・プログラム・プロダクト。
【請求項２３】
コンピュータに所定の状態に応じてディスプレイ上に前記タグ付けメニューを再表示することを可能とさせるコンピュータ可読プログラムコード手段を更に含む、請求項２０に記載のコンピュータ・プログラム・プロダクト。
【発明の詳細な説明】
【技術分野】
【０００１】
開示された実施形態は、全体として、ユーザーインタフェースに関し、より詳細には、タグを項目と結びつけることに関する。
【背景技術】
【０００２】
モバイル通信デバイスなどのモバイルデバイスは、一般に、例えば、デジタル画像処理機能、電子メールまたはメッセージ送信機能、メディア再生機能など、種々のアプリケーションを含む。一般に、従来のデバイスにおいて、例えば、情報のタグなど、種々のアプリケーションに関係する項目にタグを結びつけたいユーザーは、例えば、タグをそれぞれの項目と結びつけるために１つ以上のメニューを検索する。
【０００３】
速く効率的かつ使いやすい方法で、モバイルデバイスにおける項目とタグを結びつけることができれば、好ましい。
【発明の概要】
【０００４】
１つの態様において、開示された実施形態は、方法に関するものである。１つの実施形態において、その方法は、デバイスのディスプレイ上に画像を表示し、ディスプレイ上に、その画像に対して提供されるタグ付けメニューを自動的に提供し、タグ付けメニューからその画像に結びつけられるタグを選択し、タグ付けメニューを自動的に閉じることを含む。
【０００５】
別の態様において、開示された実施形態は、装置に関するものである。１つの実施形態において、その装置は、プロセッサーと、プロセッサーに接続している入力デバイスと、プロセッサーに接続しているディスプレイを含み、前記プロセッサーは、その装置におけるアクティブな画像アプリケーションの画像の表示に関連して、自動的に、ディスプレイの上でタグ付けメニューを提供し、タグ付けメニューは、画像アプリケーションを離れることなく、画像とタグの間のタグ付けを可能とし、タグ選択に応じて画像をタグ付けし、自動的に、タグ付けメニューを閉じるように、構成されている。
【０００６】
さらに別の態様では、開示された実施形態は、デバイスのメモリで具体化されたコンピュータ・プログラム・プロダクトに関する。１つの実施形態において、コンピュータ・プログラム・プロダクトは、コンピュータにタグ付けメニューを表示させるように具体化されたコンピュータ可読コード手段を有しているコンピュータ使用可能媒体を含む。コンピュータ・プログラム・プロダクトのコンピュータ可読コード手段が、コンピュータに、デバイスのディスプレイ上に画像を表示させるコンピュータ可読プログラムコード手段と、コンピュータに、ディスプレイの上に、その画像に提供されたタグ付けメニューを自動的に提供させるコンピュータ可読プログラムコード手段と、コンピュータに、その画像に結びつけられたタグ付けメニューからタグを選択させるコンピュータ可読プログラムコード手段と、コンピュータに、自動的にタグ付けメニューを閉じさせるコンピュータ可読プログラムコード手段と、を備える。
【図面の簡単な説明】
【０００７】
前述の態様と実施形態の他の特徴は、添付の図面に関連してなされる、以下の記述において説明される。
【図１】開示された実施形態の態様を適用することができるシステムのブロック図である。
【図２】開示された実施形態に従ったユーザーインタフェースの例示的スクリーン・ショットの説明図である。
【図３】開示された実施形態に従ったユーザーインタフェースの例示的スクリーン・ショットの説明図である。
【図４】開示された実施形態に従ったユーザーインタフェースの例示的スクリーン・ショットの説明図である。
【図５】開示された実施形態に従ったユーザーインタフェースの例示的スクリーン・ショットの説明図である。
【図６】開示された実施形態に従ったユーザーインタフェースの例示的スクリーン・ショットの説明図である。
【図７】開示された実施形態に従ったプロセスの１つの実施例を例示するフローチャートである。
【図８Ａ】開示された実施形態の態様を実施するのに用いることができるデバイスの実施例の説明図である。
【図８Ｂ】開示された実施形態の態様を実施するのに用いることができるデバイスの実施例の説明図である。
【図９】開示された実施形態の態様を実施するのに用いることができる構成要件を組み込む例示型的な装置のブロック図を示す。
【図１０】図８Ａおよび図８Ｂの例示的なデバイスを用いることができる例示的なシステムの一般的なアーキテクチャーを示すブロック図である。
【発明を実施するための形態】
【０００８】
図１は、開示された実施形態の態様を用いることができるシステム１００の１つの実施例を図示する。開示された実施形態の態様が、図面に示される実施形態を参照して、以下に記述されるが、これらの態様は、実施形態の多くの代替的な形で具体化することができることを理解すべきである。加えて、要素あるいは材料のいかなる適切なサイズ、形状またはタイプをも使用することができる。
【０００９】
開示された実施形態は、全体として、デバイスまたは図１に示されるシステム１００等のシステムのユーザーが、速く効率的かつ使いやすい方法で、システム１００に、格納され、獲得され、あるいは、提出された項目に対してタグを結びつける、または、加えることを可能にする。タグは、適切ないかなるタグでもあっても良い、しかし、情報タグや認識タグに限られるものではない。デバイスの項目は、しかし、それらに限られるものではない。静止画像、動画等のビデオ、音声または音楽ファイル、電子メールメッセージ、ＳＭＳメッセージとＭＭメッセージを含む適切ないかなる項目であっても良い、ユーザーは、画像等の項目を、システム１００によって表示させるようにする。タグ付けツールが次に提供され、ユーザーは、根底にある画像アプリケーションから離れることなく、または、出ることなく、その画像にタグを印加することができる。後で更に詳しく記述されるように、タグ付けツールは、ユーザーに所定のタグ付けオプションを提示するか、または、ユーザーに、項目に結びついたいかなる適切なカスタマイズされたタグを入力することができるようにする。
【００１０】
１つの実施形態において、図１を参照すると分かるように、システムは、入力デバイス１０４、出力デバイス１０６、ナビゲーション・モジュール１２２、アプリケーション領域１８０、及び、ストレージ／メモリデバイス１８２、を含むことができる。ここに記述されるコンポーネントは、単に例示的なものであり、システム１００に含むことができるすべてのコンポーネントを列挙することを目的とするものではない。例えば、１つの実施形態において、システム１００はモバイル通信デバイス、あるいは、他の同様なインターネットやアプリケーション対応デバイスを備える。１つの実施形態において、デバイスのアプリケーションは、データ収集（例えば画像、ビデオ、および、音声の記録機）、マルチメディア・プレイヤー（例えばビデオや音楽のプレーヤー）、及び、あらゆる適当なメッセージ送信アプリケーション（例えば電子メール、ＳＭＳ、および、ＭＭ）を含むことができる。しかし、それらに制限されるものではない。よって、代替の実施形態において、システム１００は、他の適切なデバイスと、アプリケーションのコンテンツをモニタし、データを収集し、そのようなデバイスに通信能力を提供するアプリケーションを含むことができる。入力デバイス１０４と出力デバイス１０６とが別々のデバイスとして示されるが、１つの実施形態において、入力デバイス１０４と出力デバイス１０６とが、ユーザーインタフェース１０２の部分であり、ユーザーインタフェース１０２を構成することができる。ユーザーインタフェース１０２を、画像、ビデオ、マルチメディア情報、メッセージ送信情報のようなアプリケーション情報を表示するのに用いることができ、後述するように、ユーザーが、タグと結びついた項目を選択することを可能にする。
【００１１】
１つの実施形態において、開示された実施形態のユーザーインタフェースは、タッチスクリーン・ディスプレイまたは近接スクリーン・デバイスを備えるデバイス上ないしデバイス内にインプリメントすることができる。代替の実施形態において、ここに開示されるユーザーインタフェースの態様は、情報を表示し、アプリケーションの選択と活性化を可能とする適切ないかなるデバイス上ででも具体化することができる。「選択」と「タッチ」という用語は、ここでは一般的にタッチスクリーン・ディスプレイについて用いられる。しかしながら、代替の実施形態において、これらの用語は、他の入力デバイスに関して要求されるユーザーのアクションを含むことを意図している。例えば、近接スクリーン・デバイスに関して、ユーザーが対象物あるいは他の情報を選択するために直接的な接触をすることは必要ではない。よって、上記の用語は、ユーザーが、望む機能を実行するためには、デバイスの近傍にある必要があるということだけを意味することを意図している。例えば、近接スクリーン・デバイスの文脈において、「タッチ」という用語は、直接的な接触ではなく、近接デバイスを活性化する近接し、接触に近い状態を意味している。
【００１２】
同様に、意図されたデバイスの範囲は、単一のタッチまたは接触デバイスに限定されるものではない。１つ以上の指での接触、または他のポインティングデバイスによって、スクリーン上、スクリーン近傍でナビゲートすることができるマルチ・タッチ・デバイスもまた、開示された実施形態に含まれることを意図するものである。
【００１３】
また、図２を参照すると、開示された実施形態の構成を含むユーザーインタフェース２００のスクリーン・ショットの図が、１つの実施形態に従って示されている。図２の実施例は、例示的な目的だけのための画像アプリケーションに関するものである。しかしながら、他の実施形態において、図２に示されて、以下に記述される実施例は、デバイスの適切ないかなるアプリケーションにでも適用することができるものである。図２に示すように、デバイスは、メッセージ送信アプリケーションと画像アプリケーションを含む適切ないかなる方法においても画像を獲得するが、しかし、それらに限定されるものではない。例示的な目的だけのためであるが、この例では、画像はシステム１００のカメラ・アプリケーションによって獲得される。
【００１４】
図２に示すように、タグ付けメニューまたはタグ付けツール２１０は、画像２０１とともに現れるようになる。１つの実施形態において、タグ付けツール２１０は、ディスプレイ１１４上にポップアップウィンドウを有する。代替の実施形態において、タグ付けツール２１０は、ポップアップウィンドウを含むどのような適切な態様においても、ディスプレイ１１４上に提供あるいは表示できる。しかし、それらに限られるものではない。タグ付けツール２１０は、１つ以上のタグ付けオプションをユーザーに提供する。図２の実施例において、所定のタグ付けオプションはが与えられる。代替の実施形態において、タグ付けツールは、例えば、システム１００のスピーカーを通して聴覚的に提示することができる。例えば、タグ付けツールは、システムのユーザーに対してタグ付けオプションを提示する１つ以上の可聴な音声プロンプトとして提示することができる。例えば、ナビゲーション・キー２２０または３００（図３参照）等のナビゲーション・キーを使って、ユーザーはタグを選択し、画像にそれを適用することができる。他の実施形態において、ユーザーは、スピーチまたは音声タグを画像に付けるために、音声入力を使うことができる。さらに他の実施形態において、ユーザーは、音声入力がテキストに変換され、画像につけられるような、例えば、メタデータのような適切ないかなる方法においても、画像にタグを付けるために、音声入力を使うことができる。後述するように、タグ付けツールは閉じるか、最小にすることができる。
【００１５】
１つの実施形態において、タグ付けツール２１０は、図２で示すようなメニューの形式であり得る。タグ付けツール２１０は、例えば、アイテムがディスプレイ上に表示されたとき自動的に、あるいは、他のマニュアル操作の入力で、活性化される、例えば、タグ付けツール２１０は、システム１００の多機能キーまたはタッチスクリーンないし近接スクリーンに実質的に触れることによって、マニュアルで活性化することができる。この例では、タグ付けツールは、５つのソフト・キー２２０−２２４を含むが、タグ付けツール２１０は、図２に示す構成に限らずどのような適切な構成においても表示できる任意の適切なタグの数に対応して、おおよそ５つ程度のキーを有することができることを理解しなければならない。この実施形態において、４つのソフト・キー２２１−２２は、所定あるいは所与のタグに対応し、一方、第５のソフト・キー２２０は、それは、所定のタグの選択ないしユーザー定義可能なまたはカスタム・タグの入力を可能にするナビゲーション・キーである。２ナビゲーション／選択キー２００は、それを選択することによって対応するタグ（例えばその矢印が指しているタグ）を選ぶことができる矢印を含む。カスタム・タグは、キー２２０の中央または中心部分を選ぶことによって、入力することができる。
【００１６】
他の実施形態において、システム１００のあらゆる適切なキー（ハード・キーまたはソフト・キー）は、タグを入力するのに用いることができる。例えば、入力デバイス１０４の数字キー（０−９）は、それぞれ対応する１つのキーを活性化することにより選択できるタグに対応することができる。ハードないしソフト・キーは、システム１００の任意の適切な領域に配置することができることに留意する。１つの実施形態において、キーは、システム１００のタッチスクリーンまたは近接スクリーン上に配置することができる。他の実施形態において、キーは、システム１００のディスプレイ１１４の１つ以上の端に沿って配置することができる。
【００１７】
タグ付けツール２１０の制御を活性化あるいは選択することは、一般的に、制御を選択あるいは活性化する適切ないかなる方法、例えば、入力デバイスに対して、接触すること、押すこと、動かすことなどを含む。入力デバイス１０４が、１つの実施形態において、タッチスクリーン・パッドまたは近接スクリーンを備える制御１１２を含む場合に、タッチスクリーンまたは近接スクリーンとのユーザーの接触は、必要な入力を提供する。１つの実施形態において、入力デバイス１０４が、１つの実施形態において、キーパッドを有しているデバイスを含む制御１１０を備える場合に、キーを押すことにより、機能を活性化することができる。他の実施形態において、入力デバイス１０４の制御１１０も、図３で示すように多機能ロッカー型スイッチまたはジョイスティック３００を含む場合に、スイッチ３００は、上記したものと実質的に同様な方法で、メニュー項目を選んだり、タグ付けツール制御を選択・活性化するのに用いることができる。多機能キー３００は、矢印（その１つが参照番号３１０で図３に示されている）をも含むことができ、キーまたはジョイスティック３００の中心部分を活性化することによって，カスタム・タグの入力を可能とすることに留意する。代替の実施形態において、タグ付けキー２２０−２２４は、適切ないかなる方法ででも活性化することができる。音声コマンドと他のタッチ・センシティブ入力デバイスもまた、使用することができる。
【００１８】
４つのタグキー２２１−２２４を有し、例えば、四方向のナビゲーション・キーを通じてアクセスする、実施形態が記述される（例えば、キーは、キーが、上下左右方向に、ないしは、キーの中心を押下することにより活性化さる場合に、項目を選ぶことができる）が、ただし、ここに記述される実施形態は、４方向のナビゲーション・キーの利用に限られるものではないことに留意する。例えば、代替の実施形態において、タグ機能は、（例えば、多機能キーのように別のキーを使っている間、１つのボタンを押下するように構成される）回転セレクタ、スライド・セレクタやマルチキー・セレクタで選択することができる。他の代替実施形態において、タグ付けツール２１０は、おおよそ４つ程度の活性化可能な位置を有することができる。
【００１９】
所定のタグ２２１−２２４は、適切ないかなる方法ででも規定することができる。１つの実施形態において、所定のタグ２２１−２２４は、例えば、設定メニューのようなシステム１００の適切ないかなるメニューを通じて規定することができる。メニューは、ユーザーが適切ないかなるタグ情報でも、それぞれタグキー２２１−２２４の１つと結びつけることができる適切ないかなるメニューでもよい。例示的な目的のためだけであるが、図２で分かるように、「ホーム」、「旅行」、「仕事」及び「人」のタグは、タグキー２２１−２２４のそれぞれに結びついている。ここで、タグは単語を含むが、他の実施形態においては、タグは適切ないかなる文字、単語、フレーズ、画像（静止画、動画など）や音声を含むことができる。図２に示される実施例において、タグキーは、タグキーの上で提示される単語が画像２０１と結びついているタグを表す「実際のタグ」を表す。さらに他の実施形態において、タグキー２２１−２２４の１つ以上は、ユーザーが選ぶことができえる他のタグのサブリストまたはメニューを開けることができる。例えば、「人」タグキー２２４が活性化される場合には、人のリストを表示することができる。人のリストは、例えば、付加的な人タグ（例えば「より多くの人」タグキー）の提示など付加的な利用者オプションを表示する最も頻繁な人タグや付加タグキー等の適切ないかなるタグでも含むことができる。代替の実施形態において、タグは、デバイスの製造の間に、あるいは、他のどの適切な方法でも事前に与えることができる。代替の実施形態において、タグ付けツールは、デバイスのプログラム可能なハード・キーの形であることができる。
【００２０】
タグ付けツール２１０は、適切ないかなる時刻にでも、そして、適切ないかなる方法ででもシステム１００のディスプレイの上に提示することができる（図７、ブロック７００）。１つの実施形態において、項目がシステム１００のディスプレイに現れる時に、タグ付けツール２１０を、自動的に示すことができる。例えば、画像がデバイスのカメラ等によって得られるとき、タグ付けツール２１０は、画像とともに提示することができる。図２で分かるように、タグ付けツール２１０は、画像の上に発表されるポップアップ・メニューとして提示することができる。タグ付けツール２１０は、適切に、ユーザーがツール２１０を無視することを選択する場合に、システム１００のユーザーが、タグ付けツール２１０にわずらわせられないように、ディスプレイの上で、サイズ設定され、色づけられ（または無色にされ）、配置されることができる。１つの実施形態において、タグ付けツール２１０は、実質的に透明であることができて、ユーザーがタグ付けツール２１０を通して、画像を見ることを可能にする。タグ付けツール２１０の透明性は、例えば、システム１００の任意の適切なメニューまたはキーを通して、ユーザーが調整可能である。代替の実施形態において、デバイスのディスプレイは、タグ付けツール２１０がディスプレイの上に提示される時に、画像のサイズを再設定するように、画像とタグ付けツール２１０の間を分離することができる。他の代替実施形態において、タグ付けツール２１０は、例えば、所定のキーが活性化された場合、あるいは、タッチスクリーン・ディスプレイが実質的に接触された場合など（例えば、ディスプレイ上の任意箇所、または、ディスプレイの所定の領域において、実質的に接触された場合）、要求に応じてディスプレイ上に提示することができる。
【００２１】
この実施形態において、所定のタグのうちの１つ、例えばタグ２２２が、選択される（図７、ブロック７１０）。次に、図４を参照すると、タグが選択される場合に、システム１００は、例えば、選択されたタグの外見を変えることによって（図７、ブロック７２０）、どのタグが選択されたかについて、表示を提供することができる。例えば、図４から分かるように、タグ２２２は、それが選ばれたことを示すために拡大される。他の実施例において、タグが選択されたという表示は、そのタグを、より目立つような外観を与えること、そのタグをハイライトすること、そのタグの色や透明度を変えること、そのタグを縮小し、ブリンクまたは動くようにすること、を含むようにすることができる。しかし、それらに限られるものではない。１つの実施形態において、タグが選択された時に、デバイスは、タグをその項目と結びつける（図７、ブロック７３０）。他の実施形態において、ユーザーが望まないタグを選択した場合、ユーザーが別のタグを再選択する機会を持てるように、そのタグキーが活性化された後、所定の時間が経過したあとに、タグの結びつけを行うことができる。タグ・ツール２１０は、ディスプレイ上で最小にされ、結びつけが行われた後に、適切ないかなる方法でも、削除されるか、さもなければディスプレイから隠される（図７、ブロック７４０）。図５を参照すると、１つの実施例において、結びつけが行われた後に、タグ・ツール２１０を、ディスプレイの見え方が損なわれてないようにして、タグ・ツール２１０の透明度を最大にするように、ディスプレイ上で徐々に薄くすることができる。他の実施例において、タグ・ツール２１０は、ツール２１０が、ディスプレイから消えるまで、ツールの透明度を増加することによって、急に、または、徐々に、ディスプレイから削除することができる。
【００２２】
別の実施例において、カスタマイズされた、又は、ユーザー定義されたタグは、タグキー２２０を活性化することによって、項目と結びつけることができる。この例において、例えば、タグキー２２０の中心の領域が、カスタム・タグまたは手動のタグ入力アプリケーション６００をオープンするために、活性化される（図７、ブロック７５０）。１つの実施形態において、タグ入力アプリケーション６００は、タグ入力領域６０１と１つ以上のソフト・キー６２０を含む。代替の実施形態において、タグ入力アプリケーション６００は、適切ないかなる構成でも有することができる。図６から分かるように、タグ入力領域６０１は、ディスプレイの適切ないかなる領域ででも、また、適切ないかなる方法ででも示すことができる。タグ入力領域６０１が、例示的な目的のためだけに、図６において、ディスプレイの下部に沿って示される。１つの実施形態において、タグ入力領域６０１が示された時に、画像は大きさを変更することができる。他の実施形態において、タグ入力領域６０１は、タグキー２２０−２２４に関して、上で説明したものと実質的に同様の方法など適切ないかなる方法ででも、その画像の上に表示することができる。しかし、それらに限られるものではない。タグ入力領域６０１は、タグ入力部６１０を含むことができる。適切ないかなるタグでも、ユーザーインタフェース１０２の適切ないかなる入力により入力することができ（図７、ブロック７６０）、例えば、どの文字あるいは他の入力が入ったかに関するユーザーフィードバックを与えるタグ入力部６１０に示される。代替の実施形態において、例えば、ソフト・キー、メニューまたは他の適切ないかなる方法を通してアクセスすることができる、画像、ビデオおよび音声を含む適切ないかなるデータも、タグとしての入力であることができる。しかし、それらに限られるものではない。カスタムまたはユーザー定義タグが入力であるとき、それは、例えば、キーを活性化するか、実質的に、システム１００のタッチスクリーンの領域に触れることにより項目と結びつけることができる。この例において、ユーザー定義タグは、ソフト・キー６２０を活性化することによって項目と結びつけることができる。しかし、代替の実施形態において、結びつけは、適切ないかなる方法ででも行うことができる。結びつけが行われると、タグ・ツール２１０は、タグキー２２０−２２４に関して上で述べたのと実質的に同様の方法で、閉じるか、最小化するか、あるいは、ディスプレイから削除することができる。
【００２３】
１つの実施形態において、タグ・ツール２１０が（ディスプレイに現れたあとに）、活性化されない場合には、タグ・ツール２１０は、上で述べたのと実質的に同様の方法で、閉じるか、最小化するか、あるいは、ディスプレイから削除することができることに留意する。例えば、所定の時間後に、タグキー２２０−２２４のいずれも活性化されない（例えば、ユーザーがタグキー・メニューを無視する）場合には、タグ・ツール２１０は、閉じるか、最小化するか、あるいは、ディスプレイから削除することができる。他の実施例において、押下／活性化されたときにタグ・ツール２１０を削除あるいは最小化するようなキーが存在することができる。タグ・ツール２１０が閉じられるか、最小にされるか、削除されるとき、タグ・ツール２１０は、タグ付けを変えるか、新しいタグ付けをつくる適切ないかなる方法ででもそのタグ・ツールを再活性化することができるように、例えば、システム１００のバックグランドで、待機するか、実行しているか、アクティブのままである。例えば、タグ・ツール２１０は、システム１００の所定のハード又はソフト・キーを活性化することによって、又は、システム１００のタッチスクリーンないし近接スクリーンの領域に実質的に触れることによって、再活性化することができる。１つの実施例において、タグ・ツールは、ソフト・キー２６０または２７０を介して再活性化することができる（図２）。タグ・ツール２１０は、例えば、新しい画像がシステムのカメラで撮られるとき、あるいは、新しいメッセージが受信されるときに、自動的に再活性化することができる。他の実施形態において、タグ・ツール２１０は、システム１００の適切ないかなるメニューによってでも再活性化することができる。代替の実施形態において、タグ・ツール２１０は、バックグラウンドで動作できないかもしれないが、しかし、先に述べたように再活性化イベントによりスタートさせることができる。
【００２４】
開示された実施形態の態様を実施することができるデバイスの実施例が、図８Ａと図８Ｂにおいて示されている。端末またはモバイル通信デバイス８００は、キーパッド８１０とディスプレイ８２０を有することができる。キーパッド８１０は、例えば、多重機能／スクロール・キー８３０、ソフト・キー８３１、８３２、通話キー８３３、通話終了キー８３４及び、英数字キー８３５等の適切ないかなるユーザー入力デバイスでも含むことができる。ディスプレイ８２０は、例えば、タッチスクリーン・ディスプレイまたはグラフィカルユーザーインタフェース等の適切ないかなるディスプレイでもあり得る。ディスプレイは、デバイス８００と一体になっていてもよいし、あるいは、ディスプレイは、デバイス８００に接続している周辺ディスプレイであってもよい。例えば、スタイラス、ペンまたは単にユーザーの指等のポインティングデバイスは、ディスプレイ８２０で使用することができる。代替の実施形態において、適切ないかなるポインティングデバイスでも使用することができる。他の代替実施形態において、ディスプレイは、従来のディスプレイであってもよい。デバイス８００は、例えば、カメラ、スピーカー、接続性ポートまたは触覚フィードバック機構等の他の適切な特徴も含むことができる。モバイル通信デバイスは、ユーザー入力を処理し、情報をディスプレイ８２０に表示するためにディスプレイに接続しているプロセッサー８１８を有することができる。メモリ８０２は、適切ないかなる情報及び／又は電話帳エントリ、カレンダー・エントリ、他のようなモバイル通信デバイス８００と関連したアプリケーションでも格納するためにプロセッサー８１８に接続することができる。
【００２５】
デバイス８００がモバイル通信デバイスを備える実施形態において、デバイスは、例えば、図１０に示されるような通信システムにおけるコミュニケーションに適していることが可能である。そのようなシステムにおいて、携帯音声通話、ＷＷＷ／ＷＡＰブラウジング、携帯ビデオ通話、データ通話、ファクシミリ伝送、音楽放送、静止画像伝送、動画像通信、電子メッセージ伝送、のような種々の電気通信サービス、及び、モバイル端末１０００と、例えば、別のモバイル端末１００６、有線電話機１０３２、パーソナルコンピュータ１０５１またはインターネット・サーバ１０２２等他のデバイスの間で電子商取引を行うことができる。モバイル端末１０００の異なる実施形態おいて、また、異なる状況において、上述した電気通信サービスのいくつかは、利用できるたり、利用できなかったりするものであることに留意する。開示された実施形態の態様は、この点において、サービスの特定のセットに限られるものではない。
【００２６】
モバイル端末１０００、１００６は、基地局１００４、１００９を介したラジオ周波数（ＲＦ）リンク１００２、１００８を通して、モバイル通信ネットワーク１０１０に接続することができる。モバイル通信ネットワーク１０１０は、例えば、ＧＳＭ、ＵＭＴＳ、Ｄ−ＡＭＰＳ、ＣＤＭＡ２０００、（Ｗ）ＣＤＭＡ、ＷＬＡＮ、ＦＯＭＡおよびＴＤ−ＳＣＤＭＡ等どんな商用のモバイル・テレコミュニケーション標準に従うものであってもよい。
【００２７】
モバイル通信ネットワーク１０１０は、広域ネットワーク１０２０に有効に接続していることができ、それはインターネットまたはインターネット部分であってもよい。インターネット・サーバ１０２２はデータストレージ１０２４を有して、インターネット・クライアント・コンピュータ１０２６のように広域ネットワーク１０２０に接続している。サーバ１０２２は、モバイル端末１０００にＷＷＷ／ＷＡＰコンテンツをサービスすることができるＷＷＷ／ＷＡＰサーバをホストすることができる。
【００２８】
公衆交換電話網（ＰＳＴＮ）１０３０は、周知の方法でモバイル通信ネットワーク１０１０に接続することができる。固定電話機１０３２を含む種々の電話機ターミナルは、ＰＳＴＮ１０３０に接続することができる。
【００２９】
モバイル端末１０００も、ローカルリンク１００１または１０５１を介して、１つ以上のローカルデバイス１００３または１０５０とローカルに通信することができる。ローカルリンク１００１または１０５１は、例えば、ブルートゥース、ＵＳＢ（Ｕｎｉｖｅｒｓａｌ  Ｓｅｒｉａｌ  Ｂｕｓ）リンク、無線ＵＳＢバス（ＷＵＳＢ）リンク、ＩＥＥＥ８０２．１１無線ＬＡＮ（ＷＬＡＮ）リンク、ＲＳ−２３２シリアルリンク、その他の限られた範囲のリンクの適切ないかなるタイプであってもよい。ローカルデバイス１００３は、例えば、ローカルリンク１００１上でモバイル端末１０００に測定値を通信することができる種々のセンサーであってもよい。上記の実施例は、制限することを目的とするものではなく、リンクの適切ないかなるタイプでも、利用することができる。ローカルデバイス１００３は、アンテナや、ＷｉＭＡＸ（ＷｉＭＡＸ、ＩＥＥＥ  ８０２．１６）。ＷｉＦｉ（ＩＥＥＥ  Ｃｌａｉｍ  ８０２．１Ｉｘ）または他の通信プロトコルをインプリメントしているＷＬＡＮを形成する支援装置であってもよい。ＷＬＡＮは、インターネットに接続していてもよい。モバイル端末１０００は、移動通信ネットワーク１０１０、ＷＬＡＮまたは両方を使用して、ワイヤレス接続を行うために、このようにマルチ・ラジオ能力を有することができる。モバイル通信ネットワーク１０１０によるコミュニケーションは、ＷｉＦｉ、ＷｉＭａｘまたは他のどの適切なプロトコルも使ってもインプリメントすることができる。そして、そのようなコミュニケーションは、電波スペクトル（例えばＵＭＡ（ｕｎｌｉｃｅｎｓｅｄ  ｍｏｂｉｌｅ  ａｃｃｅｓｓ））のライセンスされていない部分を利用することができる。１つの実施形態において、図１のナビゲーション・モジュール１２２は、それは、図１０において記述されるシステムと相互作用するように構成される通信モジュールを含むことができる。
【００３０】
１つの実施形態において、図１のシステム１００は、例えば、図８Ｂに図示されるＰＤＡスタイルのデバイス８００’であってもよい。ＰＤＡ  ８００’は、キーパッド８１０、タッチスクリーン・ディスプレイ８２０’およびタッチスクリーン・ディスプレイ８２０’上で使用するためのポインティングデバイス８５０を有することができる。さらに他の代替実施形態において、デバイスは、パーソナル・コミュニケータ、タブレット・コンピュータ、ラップトップまたはデスクトップコンピュータ、テレビまたはテレビ・セットトップボックス、または、例えばディスプレイ８２０’のようなディスプレイとプロセッサーやメモリ等サポートエレクトロニクスを含むことができる他のどの適切なデバイスであってもよい。例示的な目的のためだけに、例示的な実施形態が、モバイル通信デバイス８００、８００’に関して記述されるが、実施形態は、ディスプレイ、プロセッサー、メモリ及びサポートソフトウェアないしサポートハードウェアを統合する適切ないかなるデバイスにでも、等しく適用することができることが理解されるべきである。
【００３１】
図１のユーザーインタフェース１０２はまた、メニューシステム１２４、２１０をナビゲーション・モジュール１２２に含むこともできる。ナビゲーション・モジュール１２２は、タグ付けメニュー２１０のためのナビゲーション制御を含むシステム１００の特定の処理の制御を規定するが、これに限定されるものではない。ニューシステム１２４は、異なるツールの選択、及び、システム１００上で動作しているアプリケーションまたはプログラムに関するアプリケーションオプションを規定することができる。１つの実施形態において、メニューシステム１２４は、タグ付けメニュー２１０の選択、または、タグを事前定義するための設定機能のようなタグ付けメニュー２１０と結びついた機能を規定する。ここに開示される実施形態において、ナビゲーション・モジュール１２２は、例えば、信号、放送、例えばタグ付けツール等システム１００の機能に関連した指示またはコマンド等の特定の入力を受信する。入力に依存して、ナビゲーション・モジュールはコマンドを解釈し、プロセス制御１３２に、それにしたがって、コマンドを実行するように指示する。
【００３２】
上記の実施形態が、モバイル通信デバイス上、および、それとともにインプリメントされることが記述されるが、開示された実施形態は、適切ないかなるデバイスにでも行われることができることが理解されるであろう。例えば、図１のシステム１００は、パーソナルコンピュータ、パーソナル携帯情報機器（ＰＤＡ）、モバイル端末、携帯／移動電話形態のモバイル通信端末、またはマルチメディアのデバイスまたはコンピュータ等、適切ないかなる電子デバイスでも一般的に備えることができる。代替の実施形態において、図１のシステム１００は、パーソナル・コミュニケータ、携帯電話、タブレット・コンピュータ、タッチパッド・デバイス、インターネット・タブレット、ラップトップまたはデスクトップコンピュータ、テレビまたはテレビ・セットトップボックス、ＤＶＤまたは高解像度プレーヤー、または、例えば図１に示されるディスプレイ１１４および図８のプロセッサー８１８やメモリ８０２等サポートエレクトロニクスを含むことができる他のどの適切なデバイスであってもよい。説明の目的のために、ここに記述される実施形態は、例示的な目的のためだけに、モバイル通信デバイスを参照しており、及び、実施形態は、ディスプレイ、プロセッサー、メモリ及びサポートソフトウェアないしサポートハードウェアを統合する適切ないかなるデバイスにでも、等しく適用することができることが理解されるべきである。
【００３３】
図１を参照すると分かるように、システム１００のディスプレイ１１４は、例えば、上に記したように、タッチスクリーン・ディスプレイ、近接スクリーン・デバイスまたはグラフィカルユーザーインタフェース等適切ないかなるディスプレイでも備えることができる。１つの実施形態において、ディスプレイ１１４は、システム１００に組み込むことができる。代替の実施形態において、ディスプレイは、システム１００に接続あるいは結合された周辺ディスプレイであってもよい。例えば、スタイラス、ペンまたは単にユーザーの指等のポインティングデバイスは、ディスプレイ１１４で使用することができる。代替の実施形態において、適切ないかなるポインティングデバイスでも使用することができる。他の代替実施形態において、ディスプレイは、例えば、カラー画像を示すことができるＴＦＴマトリックス等オプションのバックライトを有するＬＣＤで典型的にはできている平面ディスプレイ１１４等の適切ないかなるディスプレイでもあってもよい。タッチスクリーンを、従来の液晶ディスプレイに代えて使用することができる。
【００３４】
システム１００は、例えば、カメラ、スピーカー、接続性ポートまたは触覚フィードバック機構等の他の適切な機構も含むことができる。
【００３５】
開示された実施形態は、異なるコンピュータで実行される上に記述したプロセスステップと命令を組み込んだ、ソフトウェアとコンピュータ・プログラムをも含むことができる。図９は、本発明の態様を実施するのに用いることができる機構を組み込んだ典型的装置９００の１つの実施形態のブロック図である。装置９００は、ここに記述されるプロセスステップを実行するためのコンピュータ可読プログラムコード手段を含むことができる。図示したように、コンピュータシステム９０２は、コンピュータ９０２と９０４が互いに情報を送信し、互いから情報を受信することができるように、別のコンピュータシステム９０４にリンクすることができる。１つの実施形態において、コンピュータシステム９０２は、ネットワーク９０６と通信するのに適合したサーバ・コンピューターを含むことができる。コンピュータシステム９０２、９０４は、例えば、モデム、無線有線接続、またはファイバー光リンクを含むどんな従来の方法ででも共にリンクすることができる。一般に、情報は、典型的には、通信チャネルの上に、または、ＩＳＤＮ回線の上のダイヤルアップ接続によって送られる通信プロトコルを使用して、コンピュータシステム９０２と９０４の両方で利用可能とすることができる。コンピュータ９０２と９０４は、ここに開示される、コンピュータ９０２と９０４に、その方法のステップを実行させるのに適している機械可読プログラム・ソースコードを具体化するプログラム格納デバイスを利用するのに一般的に適している。本発明の態様を組み込むプログラム格納デバイスは、ここに開示される手順や方法を実行するために、光学的、磁気的性質やエレクトロニクスを利用する機械のコンポーネントとして、考案され、作成され、使用することができる。代替の実施形態において、プログラム格納デバイスは、コンピュータに可読であり、実行可能であるディスケットまたはコンピュータ・ハードディスク等の磁気媒体を含むことができる。他の代替実施形態において、プログラム格納デバイスは、光ディスク、ＲＯＭ（ｒｅａｄ  ｏｎｌｙ  ｍｅｍｏｒｙ）、フロッピー（登録商標）ディスク、半導体チップを含むことができる。
【００３６】
コンピュータシステム９０２と９０４は、格納プログラムを実行するために、マイクロプロセッサーも含むことができる。コンピュータ９０２は、情報とデータの記憶のためのそのプログラム格納デバイス上にデータ記憶装置９０８を含むことができる。本発明の態様を取り入れているプロセスと方法ステップを組み込むコンピュータ・プログラムまたはソフトウェアは、コンピュータ９０２と９０４、あるいは、従来のプログラム格納デバイスの上の１つ以上に、格納することができる。１つの実施形態において、コンピュータ９０２と９０４は、本発明の態様にアクセスすることができるユーザーインタフェース９１０、及び、ディスプレイ・インターフェース９１２を含むことができる。ユーザーインタフェース９１０とディスプレイ・インターフェース９１２は、システムへのクエリとコマンドの入力を可能とし、コマンドとクエリの結果を提示するのに適応することができる。
【００３７】
開示された実施形態は、一般的に、ユーザーがタグを、速くて効率的、かつ使いやすい方法で、デバイス中に格納された、デバイスにより獲得された、または、提示された項目に結びつけるか、加えることを可能とする。タグ・メニューは、項目とともに自動的に表示される。所定のタグが、タグ・メニューから選ばれるか、又は、カスタマイズされたタグが、項目への結びつけのための入力である。根底にあるアプリケーションから離れることなく、タグを、項目と結びつけることが可能である。これは、ユーザーがタグを項目に加えることができ、そして、速く、種々のメニューを通じてナビゲートしなければならないことなく、アプリケーションに戻ることができるので、デバイスの使用をより効率的に行うことができる。
【００３８】
前述の説明は、実施形態の説明をするだけのものであることが理解されるべきである。種々の代替と修正を、当業者は、本実施形態から離れることなく、考案することができる。したがって、本発明の実施形態は、特許請求の範囲にあるすべてのそのような代替、修正と変形を包含することを意図している。
【図１】
2010537268.tif 000003
【図２】
2010537268.tif 000004
【図３】
2010537268.tif 000005
【図４】
2010537268.tif 000006
【図５】
2010537268.tif 000007
【図６】
2010537268.tif 000008
【図７】
2010537268.tif 000009
【図８Ａ】
2010537268.tif 000010
【図８Ｂ】
2010537268.tif 000011
【図９】
2010537268.tif 000012
【図１０】
2010537268.tif 000013
【国際調査報告】
2010537268.tif 000014
2010537268.tif 000015
2010537268.tif 000016